(57)【要約】【課題】複数のデータ記録装置を構成したデータ記録装置ユニットにおいて、特定のデータ記録装置を交換する際に、その他のデータ記録装置に影響を与えることなく交換をすることが困難であった。【解決手段】ハードディスクのデータ記録領域にパーティションが形成されたＨＤＤ２５−１〜２５−４を備え、これら４つのＨＤＤ２５−１〜２５−４を関連付けてアクセス制御可能なＨＤＤユニット１４において、各ＨＤＤのデータ記録領域に形成するパーティションを、このデータ記録装置以外のＨＤＤのデータ記録領域に跨がないようにして形成した。【選択図】図２
2008152330.tif 000002
【特許請求の範囲】
【請求項１】
記録媒体のデータ記録領域にパーティションが形成されたデータ記録装置を複数備え、前記複数のデータ記録装置を関連付けてアクセス制御可能なデータ記録装置ユニットにおいて、
前記各データ記録装置の記録媒体のデータ記録領域に形成するパーティションを、前記データ記録装置以外の１つ又は複数のデータ記録装置の記録媒体のデータ記録領域に跨がないようにして形成したことを特徴とするデータ記録装置ユニット。
【発明の詳細な説明】
【技術分野】
【０００１】
本発明は、データ記録装置ユニットに係り、特に、パーティションを形成可能な記録媒体をそれぞれ用いた複数のデータ記録装置を備えるデータ記録装置ユニットに関する。
【背景技術】
【０００２】
近年、セキュリティに対する関心は高まるばかりであり、例えば、監視カメラにより映像監視を行うための監視カメラシステムが広く普及している。この監視カメラシステムにおいては、監視カメラで撮像した映像をリアルタイムにモニタに表示して監視させるだけでなく、映像データを記録媒体に記録させる映像データ記録装置が組み入れられることも多い。
【０００３】
特に、映像監視用途においては、不審者の侵入監視に代表される監視現場の異常状態の発生の監視を目的とするものが多く、異常発生の事象を確実に捉えるために、長時間・長期間の映像データの連続記録が要求される場合が多い。このような映像監視用途における映像記録に対する要求性能や、近年のデジタル化やネットワーク化の流れ等により、映像データ記録装置として、近年益々大容量化されているハードディスクにデータ記録させるハードディスクレコーダを用いることも多くなってきた。
【０００４】
ハードディスクレコーダを組み入れた監視カメラシステムにおいては、通常、監視カメラで撮像した映像信号をデジタル映像データに変換し、さらにＭＰＥＧ２方式やモーションＪＰＥＧ方式等の高能率符号化方式によりデータ圧縮してデータ量を少なくし、ハードディスクに記録することが行われている。さらには、監視現場に異常検出センサを設置しておき、このセンサが異常状態を検出しない間はデータ圧縮率を高くしたりフレームレートを低くして記録し、異常検出センサが異常状態を検出したときに、データ圧縮率を低くしたりフレームレートを高くして記録するといった仕組みで、ハードディスクレコーダに記録するデータ量の削減を行っている。
【０００５】
しかし、上記のような記録するデータ量を少なくする工夫をしてもなお、映像監視用途におけるハードディスクレコーダに連続記録できる時間の長時間化が求められている。これにより、ハードディスクレコーダには、数百ＧＢ（ギガバイト）容量のハードディスクドライブ（ＨＤＤ）を搭載したり、更なる大容量化を実現するために、数百ＧＢ容量のＨＤＤを数台組み合わせて数ＴＢ（テラバイト）容量のＨＤＤユニットを構成した増設ハードディスク装置ユニットを、ハードディスクレコーダに接続したりすることも行われている。
【０００６】
ところで、上記のハードディスクレコーダや増設ハードディスク装置ユニットにおけるハードディスクの記録領域の制御管理において、ハードディスクのデータ記録領域内を幾つかのパーティションに分割することが行われている。ハードディスクをパーティションに区切ることにより、ハードディスクレコーダの制御部側から見た論理的なドライブ（記録装置）を、ＨＤＤ単位ではなくパーティション単位とすることができるため、パーティション別に記録するデータの種類を分けたり、符号化映像データの記録領域とそれのバックアップ領域を分けたりしてデータ管理の利便性等を良くすることができる。更には、大容量データ記録領域を幾つものパーティションに区切ることにより、データのアクセス性能の悪化を防止することもできる。
【０００７】
従来技術の例として、以下の特許文献１には、複数のＨＤＤの各データ記録領域に跨ってパーティションを形成してディスクアレイを構成する例が示されている。
【特許文献１】特開２００５−７８４３０号公報
【発明の開示】
【発明が解決しようとする課題】
【０００８】
しかしながら、特許文献１に記載されたように、複数のＨＤＤの各データ記録領域を跨いでパーティションを形成した場合、以下のような問題が生じる。すなわち、図４の模式図に示すように、例えば、４つのＨＤＤ４１−１〜ＨＤＤ４１−４を７つのパーティションＰ４２−１〜Ｐ４２−７に分割した場合、パーティションＰ４２−２，Ｐ４２−４，及びＰ４２−６のそれぞれにおいて、ＨＤＤが跨がれてパーティションが形成される。具体的には、例えば、パーティションＰ４２−２はＨＤＤ４１−１及びＨＤＤ４１−２を跨ぎ、両方のＨＤＤのデータ記録領域内にパーティションを形成している。
【０００９】
これにおいて、パーティションＰ４２−１の記録領域内で物理的な不具合が発生する等して記録再生不能なセクタが広域に発生した場合、その不具合の状態によっては、パーティションＰ４２−１に該当するＨＤＤ４１−１のデータ記録領域全体を物理的にフォーマットし直したり、別のＨＤＤに交換したりする対応が取られることになるが、このＨＤＤ４１−１にはパーティションＰ４２−２の一部分が含まれているため、そのままＨＤＤ４１−１を交換しただけでは、ＨＤＤ４１−２に形成されているパーティションＰ４２−２の部分のデータが使用できなくなる。よって、連鎖的にＨＤＤ４１−２やその他のＨＤＤをも新品のＨＤＤに交換する必要が生じることとなる。または、ＨＤＤ４１−１のパーティションＰ４２−２の部分にアクセス可能であるならば、このドライブの物理フォーマットや交換作業前にパーティションＰ４２−２の部分のバックアップをとり、この作業後に書き戻すといった煩雑な作業が必要となる。
【００１０】
このような問題は、上述した複数のＨＤＤを組み合わせて増設ハードディスク装置ユニットを構成した場合に限らず、記録可能な光ディスクや半導体メモリ等のパーティションを形成することが可能な記録媒体を、複数用いてデータ記録装置ユニットを構成した場合にも共通する問題である。
【００１１】
本発明は、上記問題に鑑みてなされたものであり、その目的は、複数のデータ記録装置によりデータ記録可能領域を確保したデータ記録装置ユニットにおいて、特定のデータ記録装置を交換する際に、その他のデータ記録装置に影響を与えることなく交換が可能なデータ記録装置ユニットを提供することである。
【課題を解決するための手段】
【００１２】
本発明は、上記の課題を解決するために、以下の手段を提供するものである。
記録媒体のデータ記録領域にパーティションが形成されたデータ記録装置（２５−１〜２５−４）を複数備え、前記複数のデータ記録装置（２５−１〜２５−４）を関連付けてアクセス制御可能なデータ記録装置ユニット（１４）において、
前記各データ記録装置の記録媒体のデータ記録領域に形成するパーティションを、前記データ記録装置以外の１つ又は複数のデータ記録装置の記録媒体のデータ記録領域に跨がないようにして形成したことを特徴とするデータ記録装置ユニット（１４）。
【発明の効果】
【００１３】
本発明によれば、複数のデータ記録装置の中から特定のデータ記録装置を交換したり物理フォーマットをかけたりしても、その他のデータ記録装置に影響を与えることがなく、良好なメンテナンス性を発揮することができる。
【発明を実施するための最良の形態】
【００１４】
以下、本発明を実施するための最良の形態について、好ましい実施例を示して詳細に説明する。
【実施例】
【００１５】
図１に、本発明の実施例であるＨＤＤユニットを適用した映像監視システムの概略構成図を示す。同図において、映像監視システム１は、１６台の監視カメラ１１−１〜１１−１６とハードディスクレコーダ１２とがビデオケーブル１３−１〜１３−１６を介してそれぞれ接続されると共に、ＨＤＤユニット１４がＵＳＢケーブル１５によってハードディスクレコーダ１２に接続された構成となっている。
【００１６】
監視カメラ１１−１〜１１−１６のそれぞれは、監視対象を撮像可能な場所に設置され、それぞれ撮像した映像をアナログコンポジットビデオ信号に変換してビデオケーブル１３−１〜１３−１６に出力する機能を有する。
【００１７】
また、ハードディスクレコーダ１２は、内蔵する不図示のＣＰＵの制御により２台の内蔵ＨＤＤ（いずれも不図示）を制御する機能を有し、各内蔵ＨＤＤのデータ記録領域に複数のパーティションを形成する処理を実行する。また、これと同様に、後述するＨＤＤユニット１４に内蔵した４つのＨＤＤの各データ記録領域に複数のパーティションを形成する処理を実行する。なお、これらパーティションの形成処理については後述する。
【００１８】
また、ハードディスクレコーダ１２は、ＣＰＵの制御により、２台の内蔵ＨＤＤを関連付けて制御することができ、例えば、これら２台の内蔵ＨＤＤについて、ミラーリングによりデータ保障をすることができる。このミラーリング処理については、公知技術であるため、その説明を省略する。
【００１９】
さらに、ハードディスクレコーダ１２は、ビデオケーブル１３−１〜１３−１６をそれぞれ介して供給された１６系統のアナログコンポジットビデオ信号を入力し、不図示の映像信号処理回路により、各ビデオ信号をアナログ信号処理してフォーマット変換した後、アナログ／デジタル変換してＭＰＥＧ２方式又はＪＰＥＧ方式により符号化し、これら１６系統の符号化映像データを内蔵ＨＤＤに記録するか、又はＵＳＢケーブル１５で接続されたＨＤＤユニット１４に送信して記録させる機能を有する。
【００２０】
ＨＤＤユニット１４は、ＵＳＢケーブル１５を介してハードディスクレコーダ１２と通信する機能を有し、ハードディスクレコーダ１２のＣＰＵの制御によりＨＤＤ１４に内蔵したＨＤＤが制御されるよう構成されている。
【００２１】
次に、図２に、本発明の実施例であるＨＤＤユニットの概略ブロック図を示して詳細に説明する。同図において、ＨＤＤユニット１４は、ＵＳＢケーブル１５が接続される物理的接続インターフェースである外部接続インターフェース（Ｉ／Ｆ）部２１と、ＵＳＢ／ＩＤＥ変換Ｉ／Ｆ部２２と、４台のＨＤＤ２５−１〜２５−４とを備えている。そして、ＵＳＢ／ＩＤＥ変換Ｉ／Ｆ部２２とＨＤＤ２５−１，２５−２との間はプライマリＩＤＥバス２３で接続され、ＵＳＢ／ＩＤＥ変換Ｉ／Ｆ部２２とＨＤＤ２５−３，２５−４との間はセカンダリＩＤＥバス２４で接続されている。
【００２２】
外部接続Ｉ／Ｆ部２１は、ＵＳＢケーブル１５によりハードディスクレコーダ１２と接続される。
【００２３】
ＵＳＢ／ＩＤＥ変換Ｉ／Ｆ部２２は、ＵＳＢ（Ｕｎｉｖｅｒｓａｌ  Ｓｅｒｉａｌ  Ｂｕｓ）規格によるＵＳＢフォーマットとＡＴＡ（ＡＴ  Ａｔｔａｃｈｉｍｅｎｔ）規格として標準化されたＩＤＥフォーマットとの相互変換処理を実行する機能を有する。ＵＳＢ／ＩＤＥ変換Ｉ／Ｆ部２２のＩＤＥ側には、プライマリ及びセカンダリの２種類のＩＤＥバスＩ／Ｆが具備されている。
【００２４】
ＵＳＢ／ＩＤＥ変換Ｉ／Ｆ部２２は、ＨＤＤ２５−１〜２５−４を関連付けてアクセス制御することができる。例えば、ＵＳＢ／ＩＤＥ変換Ｉ／Ｆ部２２は、これら４つのＨＤＤ２５−１〜２５−４を論理的に１つのＨＤＤとしてアクセスするスパンニングを行うことができる。これにより、ハードディスクレコーダ１２側からは、ＨＤＤユニット１４を１つのＨＤＤとしてアクセスすることができる。
【００２５】
ＨＤＤ２５−１〜２５−４のそれぞれは、ＩＤＥ  Ｉ／Ｆに対応したＨＤＤであり、ＨＤＤ２５−１，２５−３はマスタモードに設定され、ＨＤＤ２５−２，２５−４はスレーブモードに設定される。
【００２６】
次に、ハードディスクレコーダ１２のＣＰＵが、ハードディスクレコーダ１２のメモリ（不図示）や内蔵ＨＤＤに予め記憶している制御ソフトウェアを読み出して実行することにより、２つの内蔵ＨＤＤやＨＤＤユニット１４のＨＤＤ２５−１〜２５−４それぞれのデータ記録領域にパーティションを形成する処理の例について、ＨＤＤユニット１４を例にして説明する。
【００２７】
ＨＤＤ２５−１〜２５−４それぞれのデータ記録領域に、所望する数量のパーティションを、ＨＤＤを跨がないように形成するアルゴリズムは以下のとおりである。まず、ＨＤＤ２５−１〜２５−４全体の総セクタ数Ａを所望のパーティション数Ｎで割った値Ｙを求める。この値Ｙは、１パーティション当たりのセクタ数となる。次に、１パーティション当たりのセクタ数Ｙを１シリンダ当たりのセクタ数Ｘで割り、１パーティション当たりのシリンダ数を求めて小数点以下を切り捨てる。これにより、シリンダがパーティションの境目を跨ぐ直前のシリンダ番号Ｓ１が求められる。そこで、１番目のパーティションをシリンダ番号１からシリンダ番号Ｓ１までとする。
【００２８】
次に、２番目のパーティションについては、１番目のパーティションの最後のシリンダ（シリンダ番号：Ｓ１）から１つ飛ばしたシリンダ（シリンダ番号：Ｓ１＋２）から開始する。そして、２番目のパーティションの最後のシリンダ番号は、１パーティション当たりのセクタ数Ｙを２倍したものを１シリンダ当たりのセクタ数Ｘで割って小数点以下を切り捨てることにより、シリンダがパーティションの境目を跨ぐ直前のシリンダ番号Ｓ２が求められる。
【００２９】
上記と同様の処理を、所望のパーティション数Ｎ個分実行することにより、パーティションの境目がシリンダの途中になく、且つパーティションがＨＤＤを跨ぐことなく形成される。図３に、このようにして１つのＨＤＤに２つのパーティションを形成した場合における、ＨＤＤ２５−１，２５−２のパーティション構成例の模式図を示す。
【００３０】
以上説明したように、本実施例によるＨＤＤユニット１４によれば、１つのＨＤＤが故障した等の理由により良品のＨＤＤに交換する場合において、故障したＨＤＤに形成されたパーティションが他のＨＤＤに跨いでいないため、故障したＨＤＤのみの交換作業だけで済み、他のＨＤＤに影響を与えることがない。これにより、メンテナンス性を飛躍的に向上させることができる。
【００３１】
なお、本実施例で説明したパーティション形成のためのアルゴリズムは、ハードディスクレコーダ１２に内蔵した２つのＨＤＤにおいても適用できる。
【００３２】
また、本実施例では、４つのＨＤＤを組み合わせてＨＤＤユニットを構成した例について説明したが、ＨＤＤの数はこれに限定されるものではなく、さらには、ＨＤＤのみならず、記録可能な光ディスクや半導体メモリ等のパーティションを形成することが可能な記録媒体を複数用いてデータ記録装置ユニットを構成した場合にも、本発明の技術的思想は適用できる。
【産業上の利用可能性】
【００３３】
本発明は、複数のＨＤＤを組み合わせてなるハードディスクレコーダやその増設ＨＤＤユニットに有用である。
【図面の簡単な説明】
【００３４】
【図１】本発明の実施例であるＨＤＤユニットを適用した映像監視システムの概略構成図である。
【図２】本発明の実施例であるＨＤＤユニットの概略ブロック図である。
【図３】本発明の実施例であるＨＤＤユニットにパーティションを形成した場合の構成例を模式的に表した図である。
【図４】従来における、複数のＨＤＤの各記録領域を跨いでパーティションを形成した場合の構成を模式的に表した図である。
【符号の説明】
【００３５】
１  映像監視システム
１１−１〜１１−１６  監視カメラ
１２  ハードディスクレコーダ
１３−１〜１３−１６  ビデオケーブル
１４  ＨＤＤユニット
１５  ＵＳＢケーブル
２１  外部接続インターフェース部
２２  ＵＳＢ／ＩＤＥ変換インターフェース部
２３  プライマリＩＤＥバス
２４  セカンダリＩＤＥバス
２５−１〜２５−４  ＨＤＤ
【図１】
2008152330.tif 000003
【図２】
2008152330.tif 000004
【図３】
2008152330.tif 000005
【図４】
2008152330.tif 000006